(57)【特許請求の範囲】
【請求項１】
筐体本体の側面にストラップを取付可能な携帯端末において、
上記筐体本体の側面に凹陥され、第１壁部及び第２壁部を備えたストラップ用凹部と、
上記第１壁部に形成された第１ピン固定用穴と、
上記第２壁部に形成された第２ピン固定用穴と、
一端が上記第１ピン固定用穴に嵌め込まれ、他端が上記第２ピン固定用穴に嵌め込まれ、上記ストラップが引っ掛けられる取付ピンとを備え、
上記第１壁部は、上記第２壁部よりも板厚が厚く、上記第２ピン固定用穴は、上記第１ピン固定用穴よりも奥側に配置されており、
上記ストラップが引っ張られると、該ストラップが滑って上記第１ピン固定用穴側に移動するように構成されている
ことを特徴とする携帯端末。
【請求項２】
請求項１に記載の携帯端末において、
上記取付ピンは、上記一端側に鍔部が設けられ、
上記筐体本体は、裏側キャビネットと、表側キャビネットとに厚さ方向に分割され、
上記ストラップ用凹部は、上記第１壁部及び第２壁部が上記筐体本体の厚さ方向に距離を空けて対向するように上記裏側キャビネットに形成され、
上記第１ピン固定用穴は、貫通形成され、上記裏側キャビネットから露出する上記鍔部は、上記表側キャビネットによって覆われている
ことを特徴とする携帯端末。
【請求項３】
請求項２に記載の携帯端末において、
上記筐体本体は、矩形板状であり、上記第２壁部側の側面が丸みを帯びている
ことを特徴とする携帯端末。
【請求項４】
請求項２又は３に記載の携帯端末において、
上記筐体本体は、上記第２壁部側が電池蓋で覆われている
ことを特徴とする携帯端末。
【発明の詳細な説明】
【技術分野】
【０００１】
本発明は、筐体本体の側面にストラップを取付可能な、携帯電話機などの携帯端末に関するものである。
【背景技術】
【０００２】
従来より、携帯電話機などの携帯端末は、持ち歩いて使用されるので、落下防止の観点からも、その筐体本体の側面にストラップを設けることが知られている。
【０００３】
例えば、特許文献１のストラップ取付部構造では、一方の筐体の側面と背面との境界部近傍に、筐体側面から筐体背面に貫通する貫通穴を通ってストラップが係止されるストラップ取付支柱が、二つの筐体の合わせ面と略平行に設置され、このストラップ取付支柱は、筐体側面に向かって上記合わせ面から離れる方向に傾斜する第１のスロープ部を備える。
【先行技術文献】
【特許文献】
【０００４】
【特許文献１】特開２０１０−９４４２５号公報
【発明の概要】
【発明が解決しようとする課題】
【０００５】
上記特許文献１のような折畳み式の携帯電話機では、厚みがある程度厚くなるのは避けられず、ストラップの取付構造を設ける十分なスペースを確保できた。このため、筐体本体の一部にストラップ取付支柱を一体成形することができた。
【０００６】
しかしながら、近年広く使われ出したスマートフォンは、１つの矩形板状の筐体のみからなるものが多く、触り心地や見た目をよくするために、断面で厚さ方向に大きな半径を有するように成形することが広く行われている。そのような場合、十分な強度をもつストラップの取付構造を設けるスペースを確保するのが困難であり、ストラップの取付構造を設けることができないという問題があった。
【０００７】
本発明は、かかる点に鑑みてなされたものであり、その目的とするところは、筐体本体の厚さを抑えながら、十分な強度のストラップ取付構造を設けることにある。
【課題を解決するための手段】
【０００８】
上記の目的を達成するために、この発明では、ストラップをかける取付ピンを筐体本体の形状に合わせて適切に配置するようにした。
【０００９】
具体的には、第１の発明では、筐体本体の側面にストラップを取付可能な携帯端末を対象とする。
【００１０】
上記携帯端末は、
上記筐体本体の側面に凹陥され、第１壁部及び第２壁部を備えたストラップ用凹部と、
上記第１壁部に形成された第１ピン固定用穴と、
上記第２壁部に形成された第２ピン固定用穴と、
一端が上記第１ピン固定用穴に嵌め込まれ、他端が上記第２ピン固定用穴に嵌め込まれ、上記ストラップが引っ掛けられる取付ピンとを備え、
上記第１壁部は、上記第２壁部よりも板厚が厚く、上記第２ピン固定用穴は、上記第１ピン固定用穴よりも奥側に配置されており、
上記ストラップが引っ張られると、該ストラップが滑って上記第１ピン固定用穴側に移動するように構成されている。
【００１１】
上記の構成によると、取付ピンを筐体本体と別体に設けてストラップ用凹部に取り付けるようにしているので、筐体本体の一部に一体に取付支柱を設ける場合に比べて必要とするスペースが少なくて済む。そして、ストラップを引っ掛けるための取付ピンが筐体本体の角部に近い位置に設けられるような場合、角部に丸みを設けるなどにより、取付ピンを固定するストラップ用凹部を構成する一方の壁部を薄くせざるを得ないことがある。このような場合でも、板厚の薄い第２壁部に設けた第２ピン固定用穴を第１ピン固定用穴よりも奥側に配置して第２ピン固定用穴側の断面をできるだけ大きく保つと共に、取付ピンを厚さ方向に対して傾斜させることにより、ストラップに力が加わったときにストラップが滑って第１ピン固定用穴側に移動するようにしたので、強度の高い側の第１ピン固定用穴に力が集中するようにでき、所定の引っ張り強度が確保される。
【００１２】
第２の発明では、第１の発明において、
上記取付ピンは、上記一端側に鍔部が設けられ、
上記筐体本体は、裏側キャビネットと、表側キャビネットとに厚さ方向に分割され、
上記ストラップ用凹部は、上記第１壁部及び第２壁部が上記筐体本体の厚さ方向に距離を空けて対向するように上記裏側キャビネットに形成され、
上記第１ピン固定用穴は、貫通形成され、上記裏側キャビネットから露出する上記鍔部は、上記表側キャビネットによって覆われている。
【００１３】
上記の構成によると、成型性の問題から筐体本体は、裏側キャビネットと表側キャビネットとに厚さ方向に分割されており、また、取付ピンに鍔部を設けて抜け落ち防止構造とし、取付ピンの先端を裏側キャビネットの第１壁部側から第１ピン固定用穴に通し、さらに第２ピン固定用穴に通すようにしているので、取付ピンの取付が容易である。また、鍔部は、表側キャビネットで覆われているので、取付ピンが抜け出すことはなく、ストラップが抜けてしまうことはない。
【００１４】
第３の発明では、第２の発明において、
上記筐体本体は、矩形板状であり、上記第２壁部側の側面が丸みを帯びている。
【００１５】
上記の構成によると、第２壁部側の側面に丸みを設けて触り心地や見映えを向上させることができるものの、第２壁部の板厚が薄くなってしまう。しかし、ストラップにかかる張力を第１ピン固定用穴側に集中させるようにしたので、強度の高い第１壁部側で張力の大部分を負担でき、引っ張り強度が確保される。
【００１６】
第４の発明では、第２又は第３の発明において、
上記筐体本体は、上記第２壁部側が電池蓋で覆われている。
【００１７】
上記の構成によると、第２壁部側が電池蓋で覆われているので、第２壁部の板厚をさらに確保しづらくなるが、ストラップにかかる張力を第１ピン固定用穴側に集中させるようにしたので、強度の高い第１壁部側で張力の大部分を負担でき、引っ張り強度が確保される。
【発明の効果】
【００１８】
以上説明したように、本発明によれば、第１壁部を第２壁部よりも板厚を厚くし、第２ピン固定用穴を第１ピン固定用穴よりも奥側に配置して取付ピンを固定し、ストラップが引っ張られると、このストラップが滑って第１ピン固定用穴側に移動するようにしたことにより、筐体本体の厚さを抑えながら、十分な強度のストラップ取付構造を設けることができる。
【図面の簡単な説明】
【００１９】
【図１】図２のＩ−Ｉ線断面図である。
【図２】ストラップの取り付けられた携帯電話機の正面側を示す斜視図である。
【図３】ストラップの取り付けられた携帯電話機の背面側を示す斜視図である。
【図４】筐体本体及び取付ピンの分解斜視図である。
【図５】比較例を示す図１相当図である。
【発明を実施するための形態】
【００２０】
以下、本発明の実施形態を図面に基づいて説明する。
【００２１】
図２及び図３は、本発明の実施形態の携帯端末としての携帯電話機１を示し、この携帯電話機１は、表示部２が矩形板状の筐体本体３の表面側に嵌め込まれ、裏面側が電池蓋４で覆われている。
【００２２】
筐体本体３は、図４に示すように、矩形枠状の表側キャビネット３ａと矩形状の裏側キャビネット３ｂとに厚さ方向に分割されている。これら表側キャビネット３ａ及び裏側キャビネット３ｂは、正面から見て四隅が丸められている。図１にも示すように、表側キャビネット３ａは、中央部分に図示しないステンレスフレーム５（図４では省略）がインサート成形され、このステンレスフレーム５の上に液晶ディスプレイなどの表示部２が嵌め込まれている。
【００２３】
筐体本体３（裏側キャビネット３ｂ）の下側の側面には、ストラップ６を引っ掛けるための取付ピン７が固定されたストラップ用凹部８が、例えば断面矩形状に凹陥されている。裏側キャビネット３ｂは、第２壁部１０側（背面側）の断面が丸みを帯びている。取付ピン７は、一端側に鍔部７ａが設けられた鍔付構造のステンレス製ピンよりなる。このストラップ用凹部８は、厚さ方向に距離を空けて対向する第１壁部９及び第２壁部１０を備えている。第１壁部９は、第２壁部１０よりも板厚が厚くなっている。第２壁部１０の裏面側は、図１に示す断面が半径Ｒとなるように湾曲して成形されている。第１壁部９には、第１ピン固定用穴１１が形成され、第２壁部１０には、第２ピン固定用穴１２が形成されている。この第１ピン固定用穴１１に取付ピン７の鍔部７ａ側が嵌め込まれ、反対側端部が第２ピン固定用穴１２に嵌め込まれている。この取付ピン７にストラップ６が引っ掛けられている。
【００２４】
図１に示すように、第２ピン固定用穴１２は、第１ピン固定用穴１１よりも奥側（図１の上側）に配置されている。第１ピン固定用穴１１は、貫通形成され、裏側キャビネット３ｂから露出する鍔部７ａは、表側キャビネット３ａに形成された鍔用凹部３ｃによって表面側から覆われ、取付ピン７が厚さ方向にずれないように固定されている。
【００２５】
次に、本実施形態にかかる携帯電話機１の作用について説明する。
【００２６】
まず、図５に比較例として取付ピン７の軸が厚さ方向に平行に配置された筐体本体１０３（表側キャビネット１０３ａと裏側キャビネット１０３ｂとを有する）を示す。
【００２７】
比較例のストラップ用凹部８にストラップ６を通して取付ピン７に引っ掛けることができるようにするためには、取付ピン７とストラップ用凹部８の奥側の面（上面）との距離を十分に取る必要がある。
【００２８】
すると、第２ピン固定用穴１２の内周から、第２壁部１０の外周までの距離が短くなって、断面（符号１０で指している領域）が小さくなり、ストラップ６を引っ張ったときの剪断力により、第２ピン固定用穴１２の外周が破断して取付ピン７が抜け出すおそれがある。
【００２９】
一方で、本実施形態の携帯電話機１では、まず、図１に示すように、取付ピン７は、組立時に筐体本体３に固定される。本実施形態では、取付ピン７に鍔部７ａを設けて抜け落ち防止構造とし、取付ピン７の先端を裏側キャビネット３ｂの第１壁部９側から第１ピン固定用穴１１に通し、さらに第２ピン固定用穴１２に通すようにしているので、取付ピン７の取付が容易である。また、鍔部７ａは、表側キャビネット３ａで覆われているので、取付ピン７が抜け出すことはなく、ストラップ６が抜けてしまうことはない。また、取付ピン７を別体に設けてストラップ用凹部８に取り付けるようにしているので、筐体本体３の一部に一体に取付支柱を設ける場合（例えば、上記特許文献１参照）に比べて必要とするスペースが少なくて済む。
【００３０】
次いで、この取付ピン７にストラップ６を引っ掛ける。通常、ストラップ６をストラップ用凹部８に通して取付ピン７に結ぶと結び目６ａが形成される。この状態でストラップ６を引っ張ると、取付ピン７が傾いているので、この結び目６ａが滑って第１ピン固定用穴１１側に移動する。
【００３１】
本実施形態では、筐体本体３は、第２壁部１０側が電池蓋４で覆われているので、第２壁部１０の板厚を確保しづらい構造となっている。しかも、図１の断面で示すように、半径Ｒの丸みをもって成形したような場合、なおさら第２ピン固定用穴１２の周りの断面積を確保しづらい。しかし、板厚の薄い第２壁部１０に設けた第２ピン固定用穴１２を第１ピン固定用穴１１よりも奥側に配置し、取付ピン７を厚さ方向に対して傾斜させることで、第２ピン固定用穴１２側の剪断力のかかる断面（符号１０で指している領域）をできるだけ大きくすると共に、ストラップ６に力が加わったときにストラップ６が滑って第１ピン固定用穴１１側に移動するようにしたので、強度の高い側の第１ピン固定用穴１１に力が集中するようにでき、所定の引っ張り強度を確保することができる。
【００３２】
したがって、本実施形態にかかる携帯電話機１によると、筐体本体３の厚さを抑えながら、十分な強度のストラップ６の取付構造を設けることができる。
【００３３】
（その他の実施形態）
本発明は、上記実施形態について、以下のような構成としてもよい。
【００３４】
すなわち、上記実施形態では、ストラップ用凹部８を筐体本体３の下端中央に配置したが、その位置は特に限定されない。例えば、取付ピン７を筐体本体３の正面から見た四角のうちのいずれか１つの角部に近い位置に設けてもよい。このような場合、正面から見て角部に丸みを設けるなどにより、取付ピン７を固定するストラップ用凹部８を構成する第２壁部１０の第２ピン固定用穴１２近傍の断面積をさらに確保しづらくなる可能性が高まるが、上記実施形態と同様に取付ピン７を傾けて固定することで、所定の引っ張り強度の確保が容易となる。
【００３５】
また、上記実施形態では、ストラップ用凹部８に厚さ方向に距離を空けて対向する第１壁部９及び第２壁部１０を設けたが、幅方向に距離を空けて対向する第１壁部９及び第２壁部１０を設けてもよい。この場合も、強度の高い側の第１ピン固定用穴１１に力が集中するようにすればよい。
【００３６】
上記実施形態では、取付ピン７は、鍔付構造のステンレス製ピンとしたが、鍔部７ａは設けられていなくてもよく、また、ステンレス製に限定されない。
【００３７】
上記実施形態では、携帯端末は、携帯電話機としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３８】
なお、以上の実施形態は、本質的に好ましい例示であって、本発明、その適用物や用途の範囲を制限することを意図するものではない。
【符号の説明】
【００３９】
１      携帯電話機（携帯端末）
３      筐体本体
３ａ    表側キャビネット
３ｂ    裏側キャビネット
３ｃ    鍔用凹部
４      電池蓋
６      ストラップ
７      取付ピン
７ａ    鍔部
８      ストラップ用凹部
９      第１壁部
１０      第２壁部
１１      第１ピン固定用穴
１２      第２ピン固定用穴
【図１】
0005686685.tif 000002
【図２】
0005686685.tif 000003
【図３】
0005686685.tif 000004
【図４】
0005686685.tif 000005
【図５】
0005686685.tif 000006